(57)【特許請求の範囲】
【請求項１】
角形の底面板の周囲にこの底面板の辺それぞれに連続する側面板を配置するとともに、隣り合う側面板の間に底面板の角と側面板の辺それぞれに連続するマチを配置した一枚のブランクから組み起こされ、側面板とマチとからなる胴部と底面板からなる底部とを備えて、胴部内にワイン瓶などの飲料瓶を挿入配置可能にした上面開放の飲料冷却用紙容器であって、
前記マチそれぞれが胴部内方に折り込まれているとともに、前記側面板の上部に係止片を有し、隣り合う側面板の前記係止片が相互に係脱可能に係合して胴部上面を拡径可能に規制し、前記マチそれぞれの開きと胴部周方向での前記係止片の係合とにより、胴部が所定範囲まで傘開状に展開可能に設けられていて、
前記底面板は辺の数が六以上の偶数の多角形であり、前記底面板を間にして対向配置されて側面板とマチとの間に設けられた折り罫同士は、底面板に設けられた補助折り罫を介して一直線状に連続していることを特徴とする飲料冷却用紙容器。
【請求項２】
少なくとも胴部内方となる面側に防水加工が施されている請求項１に記載の飲料冷却用紙容器。
【請求項３】
請求項項１または２に記載の飲料冷却用紙容器の胴部の縮径時における胴部外周形状に対応した外箱に、飲料瓶とこの飲料瓶を配した前記飲料冷却用紙容器とを収納し、胴部内方に向けて折り出されたマチが飲料瓶に弾性的に当接して飲料瓶を保持することを特徴とする飲料瓶収納箱。
【請求項４】
上記外箱の胴部に胴部周囲に亘る開封手段が設けられていて、この開封手段により胴部を切断して上下に二分可能に設けられている請求項３に記載の飲料瓶収納箱。
【発明の詳細な説明】
【０００１】
【発明の属する技術分野】
本発明は卓上でワインなどの飲料を冷やす際に用いる飲料冷却用紙容器と、ワイン瓶などを前記飲料冷却用紙容器とともに収納した飲料瓶収納箱に関するものである。
【０００２】
【発明が解決しようとする課題】
一般にワインを飲む場合、或る程度冷やすことでワインの味わいが良くなることから、レストランなどにおいては氷を詰めたワインクーラーボックスにワイン瓶を入れた状態で提供されている。
しかしながら、購入したワインを一般家庭などで飲むような場合に備えてワインクーラーボックスを用意しておくことは不経済であって、一般家庭などでは冷やすことなく飲まれるのが通常である。このため、簡易な構成の容器にてワインを冷やすことができるとともに、使用後には廃棄処分が容易に行なえるようにしたいとの要望がなされるようになってきている。また、ワインを贈答する場合に際しても贈答先にクーラーボックスを用意させることなく、冷却用途に利用できる簡易な構成の容器をワイン瓶とともに提供できるようにしたいとの要望もある。
そこで本発明は上記事情に鑑み、廃棄処分が容易な紙容器を、ワインなどの飲料をワインクーラーボックスのように氷詰めにて冷やす用途に利用できるようにするとともに、飲料を収めた瓶と共にその紙容器を一体的に取り扱えるようにすることを課題とし、氷詰めした紙容器にワイン瓶などを入れて、飲料を味わい良く飲むことができるようにすることを目的とする。
【０００３】
【課題を解決するための手段】
本発明は上記課題を考慮してなされたもので、角形の底面板の周囲にこの底面板の辺それぞれに連続する側面板を配置するとともに、隣り合う側面板の間に底面板の角と側面板の辺それぞれに連続するマチを配置した一枚のブランクから組み起こされ、側面板とマチとからなる胴部と底面板からなる底部とを備えて、胴部内にワイン瓶などの飲料瓶を挿入配置可能にした上面開放の飲料冷却用紙容器であって、前記マチそれぞれが胴部内方に折り込まれているとともに、前記側面板の上部に係止片を有し、隣り合う側面板の前記係止片が相互に係脱可能に係合して胴部上面を拡径可能に規制し、前記マチそれぞれの開きと胴部周方向での前記係止片の係合とにより、胴部が所定範囲まで傘開状に展開可能に設けられていて、前記底面板は辺の数が六以上の偶数の多角形であり、前記底面板を間にして対向配置されて側面板とマチとの間に設けられた折り罫同士は、底面板に設けられた補助折り罫を介して一直線状に連続していることを特徴とする飲料冷却用紙容器を提供して、上記課題を解消するものである。
【０００４】
上記発明において、少なくとも胴部内方となる面側に防水加工が施されていることが良好である。
【０００５】
また、もう一つの発明は、上記飲料冷却用紙容器の胴部の縮径時における胴部外周形状に対応した外箱に、飲料瓶とこの飲料瓶を配した前記飲料冷却用紙容器とを収納し、胴部内方に向けて折り出されたマチが飲料瓶に弾性的に当接して飲料瓶を保持することを特徴とする飲料瓶収納箱であり、この飲料瓶収納箱を提供して上記課題を解消するものである。
そして、上記外箱の胴部に胴部周囲に亘る開封手段が設けられていて、この開封手段により胴部を切断して上下に二分可能に設けられているものとすることが良好である。
【０００６】
つぎに本発明を図１から図６に示す実施の形態に基づいて詳細に説明する。
図中１は飲料冷却用紙容器で、一枚のブランクから組み起こされて胴部２と底部３とを備えるものであり、植木鉢状に胴部３の上面が開き、その胴部３の内方にワイン瓶などの飲料瓶を配置するものである。
図２は飲料冷却用紙容器１の展開状態としてのブランクが示されていて、この図２に示されているように底部３は正六角形状とした一枚の底面板４からなり、前記底部３（底面板４）の周囲に位置する胴部２にあっては、底面板４の辺４ａを折り罫としてその辺４ａそれぞれに側面板５を連続させているとともに、隣り合う側面板５の間に、前記底面板４の角４ｂと側面板５の両側の折り罫とした辺５ａそれぞれにマチ６を連続させていて、６枚の側面板５と６枚のマチ６とが交互にして底面板４の周囲を回るようにして配置されている。そして、上記ブランクの状態から側面板５それぞれを折り起こすとともに、マチ６それぞれを胴部内方に突出するように折り出されている。
【０００７】
この飲料冷却用紙容器１は、氷と飲料瓶（例えばワイン瓶）とを入れて飲料を冷やす際に用いるものであり、上述したように胴部２と底部３とが連続し、底部３からマチ６の上辺までの部分において孔の無い器としての形態を呈しているとともに、前記胴部２の少なくとも内方となる面側には樹脂フィルムを積層するなどの防水加工が施されていて、胴部２の内方に氷を配置した場合、その氷から融け出た水が浸透しないようにしている。
【０００８】
上述したように胴部２は隣り合う側面板５の間にマチ６を位置させ、そのマチ６それぞれが胴部内方に向けて折り込まれている。このように複数枚（６枚）のマチ６を備えているため、マチ６それぞれが開くことで底部３を中心として胴部２が傘開可能に設けられている。また、マチ６の中央部分が外方への折り返し領域６ａとして設けられていて、胴部内方への突出量が大きくならないようにしている。
一方、各側面板５の上部両側にはその側面板５の幅方向に係止片７が連続していて、隣り合う側面板５の間において対向する係止片７のスリット部７ａを相互に噛み合わせるようにすることで係脱可能に係合している。そして、前記係止片７同士を係合させた状態で側面板５同士が接触し合うように胴部２の上面の開口を縮径したときには、係止片７それぞれも胴部２の内方に向けて折り込まれるように折り癖が付けられている。
係止片７の係合位置（スリット部の位置）は、ブランクを全展開状態としたときの側面板上部同士の間の中間位置ではなく、係止片７それぞれの基端側に大きく寄った位置に設定されていて、対向する係止片７を係合させている状態で胴部２を傘開させたとき、胴部２の上面がある程度の広さに拡径した段階で胴部２の傘開が規制される。即ち、胴部２の周囲を回る方向において対向する係止片７同士が係合していることで胴部２の傘開が規制されて、その状態を限度として胴部２を開いたり閉じたりすることができるように設けられている。
【０００９】
実施の例において底部３の底面板４に複数の補助折り罫４ｃ、４ｄが設けられていて、これらはブランクの状態から上記側面板５などを折り出すための操作を行ない易くするためのものである。図示されているように、六角形状である底面板４を間にして対向配置されて側面板５とマチ６との間に設けられた折り罫同士は、即ち、上記辺５ａ同士は、前記底面板４の補助折り罫４ｃを介して一直線状に連続している。このように、底面板４を間にして対向配置する辺５ａが補助折り罫４ｃを介して一直線状となっているため、一回の折り操作で、二つの辺５ａを一度に折ることができる。
マチ６には胴部内方に折り込むための折り罫６ｂが設けられており、この折り罫６ｂも底面板４を間にして対向配置されている。そして、対向配置された前記折り罫６ｂ同士は、底面板に設けられた補助折り罫４ｄを介して一直線状に連続していて、この場合も、二つの折り罫６ｂを一度に折ることができる。
このように、底面板４の補助折り罫４ｃを介して辺５ａ（折り罫）を一直線状とし、補助折り罫４ｄを介して折り罫６ｂが一直線状としているため、ブランクからこの飲料冷却用紙容器を折り起こすときの操作が簡単になる。
【００１０】
上記構造の飲料冷却用紙容器１を使用するに際しては胴部２の内方に、例えばワイン瓶Ａを挿入した胴部２を広げるようにしながら氷をそのワイン瓶の回りに詰めるようにすればよい。これによってワインを冷却することができる。なお、使用後は瓶と氷を取り除いた後に焼却などの処分を簡単に実施することができる。
【００１１】
図４は飲料瓶収納箱８を示している。前記飲料瓶収納箱８は上記飲料冷却用紙容器１とワイン瓶Ａとを紙製の外箱９に収め入れたものであり、前記外箱９は筒状の胴部１０と底部閉鎖部１１と開閉蓋１２を備えた上部閉鎖部１３とからなるものである。前記外箱９にあっては胴部１０が断面六角形の柱状に形成され、上記飲料冷却用紙容器１を最小に縮径したときの胴部外形状に対応しており、飲料冷却用紙容器１にワイン瓶Ａを収納した状態のままにして挿入配置される。
図５は外箱９の展開状態を示していて、六枚の側面板１４を連接して前記胴部１０が構成され、この胴部１０を構成する側面板１４それぞれの下端側に上記底部閉鎖部１１となる底部構成フラップ１５が連接している。また、底部閉鎖部１１と対向する上部閉鎖部１３は、一枚の側面板１４の上端に連続した開閉蓋１６と三枚の側面板１４の上端に連続して前記開閉蓋１６を受けるフラップ１７とから構成されていて、前記開閉蓋１６を開いて上記ワイン瓶Ａと飲料冷却用紙容器１とを上部閉鎖部１３側から挿入するようにしている。
なお、底部閉鎖部１１にあっては、外箱９を偏平なスリーブ形態から組み起こす時にこの底部閉鎖部１１が自動的に形成されるようにした公知の構成が採用されている。
【００１２】
上述したように飲料瓶収納箱８では飲料冷却用紙容器１を縮径した状態にして挿入していて、その飲料冷却用紙容器１の胴部２の内方に配したワイン瓶Ａには上記マチ６が弾性的に当接するように設けられており、緩衝体としてこのワイン瓶Ａを保持する。このように飲料冷却用紙容器１のマチ６それぞれが緩衝体として役割を果たしているために別個の緩衝材を用意する必要がなく、ワイン瓶Ａを安全にその外箱９内に配置させておくことができる。
また、飲料瓶収納箱８の外箱９における内部上方に、その外箱９の横断面形状に対応した補強部材を配置しておくことが可能であり、外箱９の内方において底部閉鎖部１１側にその底部閉鎖部１１の形状に合致した飲料冷却用紙容器１の底部が位置することと、上部閉鎖部１３側にこの補強部材を位置させることで、外箱９全体の強度を高めることができる。
【００１３】
上記外箱９の胴部１０には、その胴部１０の周囲を回る方向に亘って切り込みを二条に連続させたファスナからなる開封手段１８が位置しており、該開封手段１８の一端を摘み持つようにして胴部１０の周囲を回るようにして切断片１８ａを引き出すことで胴部２が上下に分割される。そして切断された位置から上部閉鎖部１３側の部分を取り外しことで、飲料冷却用紙容器１とこれに収められたワイン瓶Ａとが表れるようになり、底部閉鎖部１１側の部分も取り外すことで、飲料冷却用紙容器１にワイン瓶Ａを収めた状態のものが得られることになる。
即ち、外箱９を取り外すことでワイン瓶Ａと飲料冷却用紙容器１とがセットとなった状態で得られ、両者を組み付ける手間を省くことができ、上述したように飲料冷却用紙容器１の内側に氷を詰めることでワインを冷却させることができる。よって、氷のみを用意しておけば、外箱９を取り外した後にすぐにワインを冷やすことができるようになる。
【００１４】
【発明の効果】
以上説明したように、本発明の飲料冷却用紙容器によれば、角形の底面板の周囲にこの底面板の辺それぞれに連続する側面板を配置するとともに、隣り合う側面板の間に底面板の角と側面板の辺それぞれに連続するマチを配置した一枚のブランクから組み起こされ、側面板とマチとからなる胴部と底面板からなる底部とを備えて、胴部内にワイン瓶などの飲料瓶を挿入配置可能にした上面開放の飲料冷却用紙容器であって、前記マチそれぞれが胴部内方に折り込まれているとともに、前記側面板の上部に係止片を有し、隣り合う側面板の前記係止片が相互に係脱可能に係合して胴部上面を拡径可能に規制し、前記マチそれぞれの開きと胴部周方向での前記係止片の係合とにより、胴部が所定範囲まで傘開状に展開可能に設けられていて、前記底面板は辺の数が六以上の偶数の多角形であり、前記底面板を間にして対向配置されて側面板とマチとの間に設けられた折り罫同士は、底面板に設けられた補助折り罫を介して一直線状に連続していることを特徴とするものであり、これによって、専用のクーラーボックスに代えて廃棄処分が容易な紙容器を用いて飲料冷却用の器が形成でき、経済的で取り扱い容易な容器となる。
【００１５】
【発明の効果】
以上説明したように、本発明の飲料冷却用紙容器によれば、角形の底面板の周囲にこの底面板の辺それぞれに連続する側面板を配置するとともに、隣り合う側面板の間に底面板の角と側面板の辺それぞれに連続するマチを配置した一枚のブランクから組み起こされ、側面板とマチとからなる胴部と底面板からなる底部とを備えて、胴部内にワイン瓶などの飲料瓶を挿入配置可能にした上面開放のものであって、前記マチそれぞれが胴部内方に折り込まれているとともに、前記側面板の上部に係止片を有し、隣り合う側面板の前記係止片が相互に係脱可能に係合して胴部上面を拡径可能に規制し、前記マチそれぞれの開きと胴部周方向での前記係止片の係合とにより、胴部が所定範囲まで傘開状に展開可能に設けられていることを特徴とするものであり、これによって、専用のクーラーボックスに代えて廃棄処分が容易な紙容器を用いて飲料冷却用の器が形成でき、経済的で取り扱い容易な容器となる。
【００１６】
また、もう一つの発明の飲料瓶収納箱によれば、飲料冷却用紙容器の胴部の縮径時における胴部外周形状に対応した外箱に、飲料瓶とこの飲料瓶を配した前記飲料冷却用紙容器とを収納し、胴部内方に向けて折り出されたマチが飲料瓶に弾性的に当接して飲料瓶を保持することを特徴とするものであり、これによって、外箱を取り外すことでワイン瓶と飲料冷却用紙容器とがセットとなった状態で得られ、飲料瓶と飲料冷却用紙容器とを組み付ける手間を省き、氷のみを用意しておけば、外箱を取り外した後にすぐに飲料を冷やすことができるなど、実用性に優れた効果を奏するものである。
【図面の簡単な説明】
【図１】本発明に係る飲料冷却用紙容器の一例を示す説明図である。
【図２】飲料冷却用紙容器の一例を展開した状態で示す説明図である。
【図３】飲料冷却用紙容器の一例の使用状態を示す説明図である。
【図４】飲料瓶収納箱の一例を示す説明図である。
【図５】飲料瓶収納箱の一例を展開した状態で示す説明図である。
【図６】飲料瓶収納箱の一例の外箱を分離した状態を示す説明図である。
【符号の説明】
１…飲料冷却用紙容器
２…胴部
３…底部
４…底面板
５…側面板
６…マチ
７…係止片
８…飲料瓶収納箱
９…外箱
１０…胴部
１８…開封手段
【図１】
0004103362.tif 000002
【図２】
0004103362.tif 000003
【図３】
0004103362.tif 000004
【図４】
0004103362.tif 000005
【図５】
0004103362.tif 000006
【図６】
0004103362.tif 000007